(57)【要約】【課題】筆先部の傾斜角度を調整できるタッチペンを提供すること。【解決手段】本発明のタッチペンは、中空のスリーブと、筆先部と、振りロッドと、制御部品と、を備えてなる。前記筆先部の一端は前記スリーブに回転可能に装着され、前記振りロッドの一端は前記筆先部に枢着され、前記振りロッドの他端は前記制御部品に回転可能に装着される。前記制御部品は外力により前記スリーブに対して回転されながら前記振りロッド部を移動して、前記振りロッドにより前記筆先部を前記スリーブに対して傾斜させる。【選択図】図１
2011233131.tif 000002
【特許請求の範囲】
【請求項１】
中空のスリーブと、筆先部と、振りロッドと、制御部品と、を備えてなるタッチペンであって、
前記筆先部の一端は前記スリーブに回転可能に装着され、前記振りロッドの一端は前記筆先部に枢着され、前記振りロッドの他端は前記制御部品に回転可能に装着され、
前記制御部品は外力により前記スリーブに対して回転しながら前記振りロッド部を移動して、前記振りロッドにより前記筆先部を前記スリーブに対して傾斜させることを特徴とするタッチペン。
【請求項２】
一端が前記振りロッドに枢着され、他端が前記制御部品に枢着される連接部品をさらに備えることを特徴とする請求項１に記載のタッチペン。
【請求項３】
前記連接部品の前記他端にはスリーブナットが設けられており、前記制御部品は螺合用ロッドを有し、前記螺合用ロッドは前記スリーブナット内に螺合されることを特徴とする請求項２に記載のタッチペン。
【請求項４】
前記スリーブの一端は、底壁を有し、前記制御部品の螺合用ロッドの末端には、位置決め機構が設けられており、
前記位置決め機構は、前記底壁を挟持して、前記螺合用ロッドの前記スリーブの軸方向に沿った移動を制限することを特徴とする請求項３に記載のタッチペン。
【請求項５】
前記位置決め機構は、前記螺合用ロッドの一端に連結する操作部及び前記螺合用ロッドの周面から突出する翼片を備え、
前記操作部と前記翼片との間には間隔を有し、前記底壁は、前記操作部及び前記翼片の間に挟持されることを特徴とする請求項４に記載のタッチペン。
【請求項６】
前記スリーブの底壁には、前記螺合用ロッドを貫かせるための貫通穴及び前記貫通穴の直径方向に沿って延在するように形成されたスリットが設けられ、前記翼片は、前記スリットにより前記スリーブ内に収納されることを特徴とする請求項５に記載のタッチペン。
【請求項７】
前記タッチペンは筒状体である取付部をさらに備え、前記取付部の周壁の一端には、ガイド溝が設けられ、前記連接部品の外周には、ガイド柱が突設されており、前記ガイド柱は、前記ガイド溝にスライド可能に収納されることを特徴とする請求項２に記載のタッチペン。
【請求項８】
前記筆先部は回転軸を介して前記スリーブに回転可能に装着され、前記振りロッドには楕円状穴が設けられ、
前記回転軸は、前記楕円状穴を貫き且つ前記楕円状穴に移動可能に収納されることを特徴とする請求項１に記載のタッチペン。
【請求項９】
一端に入力部が設けられた筆先部と、筒状の取付部と、振りロッドと、連接部品と、を備えてなるタッチペンであって、
前記筆先部の他端は前記取付部に回転可能に装着され、前記振りロッドの一端は前記筆先部に枢着され、前記振りロッドの他端は前記連接部品に枢着され、
前記連接部品は外力により前記取付部の軸方向に沿って移動されながら前記振りロッドを連動することにより、前記筆先部を前記スリーブに対して傾斜させることを特徴とするタッチペン。
【請求項１０】
前記タッチペンは中空のスリーブをさらに備え、前記取付部は前記スリーブ内に固定されることを特徴とする請求項９に記載のタッチペン。
【請求項１１】
前記タッチペンは、前記連接部品に螺合される制御部品をさらに備え、前記制御部品の末端には位置決め機構が設けられており、
前記位置決め機構は、前記制御部品の前記スリーブの軸方向に沿った移動を制限して、さらに前記連接部品の前記スリーブに対する移動を実現することを特徴とする請求項１０に記載のタッチペン。
【発明の詳細な説明】
【技術分野】
【０００１】
本発明は、タッチペンに関し、特に携帯式電子装置のタッチパネルに用いられるタッチペンに関するものである。
【背景技術】
【０００２】
現在市販されている携帯電話、個人用携帯情報端末（ＰＤＡ）及びパソコン等の電子装置の殆んどは、タッチパネルを備えている。これらの電子装置は、一般的にタッチペンを入力手段とする。
【発明の概要】
【発明が解決しようとする課題】
【０００３】
しかし、従来のタッチペンにおいて、筆先部と筆軸部とは互いに対して回転せずに連結するため、ユーザーの好みによってタッチペンの使用角度を調整することできないという欠点がある。
【０００４】
本発明は、上記の問題点に鑑みてなされたものであり、筆先部の傾斜角度を調整できるタッチペンを提供することを目的とする。
【課題を解決するための手段】
【０００５】
上記の目的を達成するために、本発明に係るタッチペンは、中空のスリーブと、筆先部と、振りロッドと、制御部品と、を備えてなる。前記筆先部の一端は前記スリーブに回転可能に装着され、前記振りロッドの一端は前記筆先部に枢着され、前記振りロッドの他端は前記制御部品に回転可能に装着される。前記制御部品は外力により前記スリーブに対して回転しながら前記振りロッド部を移動させて、前記振りロッドにより前記筆先部を前記スリーブに対して傾斜させる。
また、本発明に係るタッチペンは、一端に入力部が設けられた筆先部と、筒状の取付部と、振りロッドと、連接部品とを備える。前記筆先部の他端は前記取付部に回転可能に装着され、前記振りロッドの一端は前記筆先部に枢着され、前記振りロッドの他端は前記連接部品に枢着される。前記連接部品は外力により前記取付部の軸方向に沿って移動されながら、前記振りロッドを連動することにより前記筆先部を前記スリーブに対して傾斜させる。
【発明の効果】
【０００６】
従来の技術に比べて、本発明に係るタッチペンは、ユーザーの入力習慣及び入力強度に応じて、制御部品を調節することにより、振りロッドを移動して、前記振りロッドにより筆先部をスリーブに対して傾斜させて、前記筆先部とタッチパネルとの間の傾斜角度を調整して、入力操作がさらにスムーズになる。
【図面の簡単な説明】
【０００７】
【図１】本発明に係るタッチペンの分解図である。
【図２】図１に示したタッチペンを別の視角から見た分解図である。
【図３】図１に示したタッチペンを組み立てた後の斜視図である。
【図４】図３に示したタッチペンの斜視断面図である。
【図５】図３に示したタッチペンのＶ−Ｖ線に沿った断面図である。
【図６】図３に示したタッチペンの使用状態での斜視図である。
【図７】図６に示したタッチペンのＶＩＩ−ＶＩＩ線に沿った断面図である。
【発明を実施するための形態】
【０００８】
図１に示したように、本発明の実施形態に係るタッチペン１００は、スリーブ１０と、取付部２０と、筆先部３０と、振りロッド４０と、連接部品５０と、制御部品６０と、を備える。前記取付部２０は、前記スリーブ１０内に装着され、前記筆先部３０の一端は、回転軸７０を介して前記取付部２０に枢着され、前記振りロッド４０の両端は、それぞれ前記筆先部３０及び前記連接部品５０に枢着され、前記連接部品５０は、前記スリーブ１０内に移動可能に装着され、前記制御部品６０の一端は、前記連接部品５０内に螺合されて前記連接部品５０を駆動してスライドさせる。前記制御部品６０が外力により回転する時に、前記連接部品５０は、前記スリーブ１０に沿ってスライドしながら、前記振りロッド４０を連動して前記筆先部３０の前記回転軸７０を巡る回転角度を制御する。
【０００９】
図２に示したように、前記スリーブ１０は、中空の円柱体であり、且つ周壁１２、前記周壁１２の一端に位置する開口端１４及び前記周壁１２の他端に形成されている底壁１６（図１を参照）を備える。前記周壁１２の前記開口端１４に近い箇所には、前記回転軸７０を装着するための軸穴１２２が設けられている。前記底壁１６の中央部には、前記制御部品６０を装着するための貫通穴１６２が設けられている。前記貫通穴１６２は、前記制御部品６０に前記スリーブ１０に対する回転空間を提供する。前記底壁１６は、前記貫通穴１６２の直径方向に沿って延在するように形成された対向する２つのスリット１６４を備える。
【００１０】
前記取付部２０は、両端が互いに貫通する筒状体であり、且つ周壁２２及びそれぞれ前記周壁２２の両端に位置する第一開口端２４、第二開口端２６を備える。前記周壁２２の一端には、対向する２つのガイド溝２２２が軸方向に沿って設けられており、前記周壁２２の他端には、１つの回転許容開口２２４が軸方向に沿って設けられている。各ガイド溝２２２は、前記第一開口端２４に連通して前記周壁２２を貫通するように設けられており、前記連接部品５０の前記スリーブ１０に沿ってスライドをガイドすると同時に、前記連接部品５０の回転を制限する。前記回転許容開口２２４は、前記第二開口端２６に連通して前記周壁２２の一部を貫通するように設けられており、前記筆先部３０が傾斜する時の回転空間を提供する。前記周壁２２の第二開口端２６に近い箇所には、固定穴２２６がさらに設けられている。前記固定穴２２６は、前記回転軸７０を貫かせることに用いられる。
【００１１】
前記筆先部３０は、ロッド部３２及び前記ロッド部３２の一端に形成されている入力部３４を備える。前記ロッド部３２の他端（前記ロッド部３２の前記入力部３４から遠ざかる端部）には、前記振りロッド４０の一端を収納するための挟持溝３２２が軸方向に沿って設けられている。前記ロッド部３２の幅方向には、２つの第一係止用穴３２４及び２つの第二係止用穴３２６がそれぞれ対称的に設けられている。前記第一係止用穴３２４は、前記挟持溝３２２の外端（前記挟持溝３２２の前記入力部３４から遠ざかる端側）に近接して設けられており、前記取付部２０の固定穴２２６及び前記スリーブ１０の軸穴１２２と組み合せて、前記回転軸７０を装着することに用いられる。前記第二係止用穴３２６は、前記挟持溝３２２の根底部（前記挟持溝３２２の前記入力部３４に近接する端側）に近接して設けられており、前記振りロッド４０を枢着することに用いられる。前記入力部３４は、円盤状を呈し、前記ロッド部３２と鈍角を成して連結し、電子装置のタッチパネルに入力操作をすることに用いられる。
【００１２】
前記振りロッド４０は、扁平な帯状体であり、その両端には、それぞれ第一枢着用穴４４４及び第二枢着用穴４４６が設けられており、前記第一枢着用穴４４４及び前記第二枢着用穴４４６の間には楕円状穴４４２が設けられている。前記楕円状穴４４２は、前記回転軸７０を貫かせることに用いられ、且つ前記回転軸７０に移動空間を提供する。前記第一枢着用穴４４４及び前記筆先部３０の第二係止用穴３２６に回転軸８０を挿入することにより、前記振りロッド４０の一端を前記筆先部３０に枢着させる。しかも、前記第二枢着用穴４４６及び前記連接部品５０に回転軸９０を挿入することにより、前記振りロッド４０の他端を前記連接部品５０に枢着させる。
【００１３】
前記連接部品５０は、基板５２と、前記基板５２の一方側から平行に延在する２つの突片５４と、前記基板５２の他方側に設けられるスリーブナット５６と、前記スリーブナット５６と前記基板５２とを連接する２つの連接ロッド５８と、を備える。前記基板５２の直径方向に沿った両側辺には、それぞれ１つのガイド柱５２２が突設されている。前記２つの突片５４の間に間隙（図示せず）を有し、且つ各突片５４には軸穴５４２が設けられている。前記軸穴５４２は、前記振りロッド４０の第二枢着用穴４４６と組み合わされて前記回転軸９０を装着することに用いられる。前記スリーブナット５６の内周面にはねじ山凹溝５６２が設けられており、前記ねじ山凹溝５６２により前記制御部品６０を前記スリーブナット５６内に部分的に螺合させる。
【００１４】
前記制御部品６０は、細長い螺合用ロッド６２及び前記螺合用ロッド６２の一端に設けられている操作部６４を備える。前記螺合用ロッド６２の前記操作部６４から遠ざかる一端の外周面にはねじ山６２２が設けられている。前記ねじ山６２２は、前記ねじ山凹溝５６２と組み合わされて、前記螺合用ロッド６２を前記スリーブナット５６内に螺合される。前記螺合用ロッド６２の末端の外周面には、前記操作部６４に離間して突出する２つの翼片６２４を有する。前記翼片６２４を前記スリーブ１０のスリット１６４を貫いて前記スリーブ１０内に装着すると、前記翼片６２４と前記操作部６４とは位置決め機構を構成しており、前記スリーブ１０の底壁１６を中間部位（前記翼片６２４と前記操作部６４との間隙）に挟持して、前記螺合用ロッド６２の前記スリーブ１０の軸方向に沿った移動を阻止する。前記操作部６４を旋回することにより、前記螺合用ロッド６２を回転させることができる。
【００１５】
以下、図１乃至図５を参照しながら、本発明のタッチペン１００の組立てのステップについて詳細に説明する。
【００１６】
ステップ１では、前記振りロッド４０を前記筆先部３０の挟持溝３２２内に装入すると同時に、前記筆先部３０の第二係止用穴３２６と前記振りロッド４０の第一枢着用穴４４４とを位置合せしてから、両者の中に回転軸８０を挿入して前記振りロッド４０の一端を前記筆先部３０に枢着する。続いて、前記筆先部３０及び前記振りロッド４０を前記第二開口端２６から前記取付部２０内に装入して、前記振りロッド４０の第二枢着用穴４４６を前記取付部２０の第一開口端２４から延出させて、前記振りロッド４０の第二枢着用穴４４６を有する一端を前記連接部品５０の２つの突片５４の間に据え置いて、前記第二枢着用穴４４６と前記軸穴５４２とを位置合せしてから、両者の中に回転軸９０を挿入して前記振りロッド４０の他端を前記連接部品５０に枢着する。
【００１７】
ステップ２では、前記制御部品６０の螺合用ロッド６２を前記貫通穴１６２から前記スリーブ１０内に挿入して、前記制御部品６０の翼片６２４を前記スリーブ１０のスリット１６４に押し込んで、前記翼片６２４を前記スリーブ１０内に収納してから、前記操作部６４を回転して、前記スリーブ１０の底壁１６を前記翼片６２４と前記操作部６４との間に挟持させる。
【００１８】
ステップ３では、ステップ１で組立てられた取付部２０を前記開口端１４からステップ２で組立てられたスリーブ１０内に押し込んで、前記連接部品５０を前記制御部品６０に当止させる。続いて、外力により前記取付部２０を回転しないようにすると同時に、前記制御部品６０の操作部６４を回転して、前記螺合用ロッド６２を前記スリーブナット５６内に螺合する。前記連接部品５０のガイド柱５２２は前記取付部２０のガイド溝２２２に制限されて回転できないため、前記操作部６４を回転すると、前記螺合用ロッド６２は、前記連接部品５０内に螺合されると同時に、前記連接部品５０を前記操作部６４に向って移動させるように駆動する。前記取付部２０の固定穴２２６が前記スリーブ１０の軸穴１２２と同じ軸線に位置されると、前記軸穴１２２に回転軸７０を挿入して、前記回転軸７０を前記固定穴２２６、前記筆先部３０の第一係止用穴３２４及び前記振りロッド４０の楕円状穴４４２に貫通させて、前記回転軸７０の両端を前記軸穴１２２に係止する。これで、前記取付部２０が前記スリーブ１０内に固定され、前記筆先部３０は前記回転軸７０に対して回転可能に枢着される。
【００１９】
図６及び図７に示したように、前記タッチペン１００で入力操作をする場合、前記制御部品６０の操作部６４を回転すると、前記連接部品５０は、前記螺合用ロッド６２により駆動されて前記取付部２０のガイド溝２２２から滑り出して、前記振りロッド４０を引張って前記操作部６４に向って移動すると同時に、前記振りロッド４０により前記筆先部３０を連動して前記筆先部３０を前記回転軸７０周りに傾斜させる。従って、前記筆先部３０は、初期位置から変位して一定の角度回転する。逆方向へ前記操作部６４を回転すると、前記連接部品５０は、前記螺合用ロッド６２により駆動されて前記操作部６４から離れるように移動すると同時に、前記振りロッド４０を前記筆先部３０に向って推進する。従って、前記筆先部３０は、前記振りロッド４０に推されて前記回転軸７０周りに回転して、初期位置に復帰する。
【００２０】
なお、前記スリーブ１０、前記取付部２０及び前記筆先部３０は、すべて導電材質から製作され、前記スリーブ１０は前記筆先部３０と電気的に導通する。
【００２１】
なお、前記制御部品６０の翼片６２４の数量は、２つに限定されるものではなく、１つ或いは複数であってもよい。それ相応に、前記スリーブ１０の底壁１６に前記翼片６２４の数量に一致するスリット１６４を設ける。
【００２２】
なお、前記連接部品５０及び前記制御部品６０は、前記筆先部３０の前記スリーブ１０に対する回転をコントロールする役割を果している。しかし、前記筆先部３０を前記スリーブ１０に対して所定の角度傾斜させる方法は、上記の実施形態に限定されない。例えば、１つの操作機構により前記連接部品５０及び前記制御部品６０を代替してもよい。前記操作機構は、前記スリーブ１０内に緊密に装着され、その一端が前記振りロッド４０に枢着され、その他端が前記底壁１６を介して前記スリーブ１０から延出される。前記スリーブ１０の軸方向に沿って前記操作機構を押すと、前記操作機構は前記スリーブ１０の異なる位置に停留されると同時に、前記振りロッド４０を連動して前記筆先部３０の前記スリーブ１０に対する傾斜角度を調整することができる。
【００２３】
本発明のタッチペン１００は、ユーザーの入力習慣及び入力強度に応じて、前記制御部品６０を調節することにより、前記振りロッド４０を移動して、前記振りロッド４０により前記筆先部３０を前記スリーブ１０に対して傾斜させて、前記筆先部３０とタッチパネルとの間の傾斜角度を調整して、入力操作がさらにスムーズになる。
【００２４】
以上、本発明の好適な実施形態について詳細に説明したが、本発明は上述の実施形態に限定されるものではなく、本発明の要旨を逸脱しない範囲で適宜変更又は改良することが可能であり、該変更又は改良も、本発明の特許請求の範囲内に含まれることは、言うまでもない。
【符号の説明】
【００２５】
１０        スリーブ
１２        周壁
１６        底壁
２０        取付部
２２        周壁
２４        第一開口端
２６        第二開口端
３０        筆先部
３２        ロッド部
３４        入力部
４０        振りロッド
５０        連接部品
５２        基板
５４        突片
５６        スリーブナット
５８        連接ロッド
６０        制御部品
６２        螺合用ロッド
６４        操作部
７０        回転軸
８０        回転軸
９０        回転軸
１００      タッチペン
１２２      軸穴
１６２      貫通穴
１６４      スリット
２２２      ガイド溝
２２４      回転許容開口
２２６      固定穴
３２２      挟持溝
３２４      第一係止用穴
３２６      第二係止用穴
４４２      楕円状穴
４４４      第一枢着用穴
４４６      第二枢着用穴
５２２      ガイド柱
５４２      軸穴
５６２      ねじ山凹溝
６２２      ねじ山
６２４      翼片
【図１】
2011233131.tif 000003
【図２】
2011233131.tif 000004
【図３】
2011233131.tif 000005
【図４】
2011233131.tif 000006
【図５】
2011233131.tif 000007
【図６】
2011233131.tif 000008
【図７】
2011233131.tif 000009